(57)【要約】【課題】  基地局や移動局を含む移動無線通信システム及び基地局や移動局を構成する無線通信装置に関し、消費電力の低減を図る。【解決手段】  複数の無線通信装置の中の少なくとも移動する無線通信装置を含み、パケットを伝送するトラフィックチャネルと、パケットの受信用の制御情報を伝送する制御チャネルと、送信電力制御情報を含む情報を伝送するチャネルとを少なくとも含むチャネルを多重化して、基地局等の一方の無線通信装置と移動局等の他方の無線通信装置との間で無線通信する移動無線通信システム及び無線通信装置であって、一方の無線通信装置から他方の無線通信装置に対して、送信電力制御情報を含む情報を伝送するチャネルによる前記送信電力制御情報を、パケットの長さに比較して長い一定の周期で送信し、トラフィックチャネルによるパケットの送信時に、制御チャネルにより送信電力制御情報を送信する手段を備えている。【選択図】        図１
2006197318.tif 000002
【特許請求の範囲】
【請求項１】
複数の無線通信装置の中の少なくとも移動する無線通信装置を含み、パケットを伝送するトラフィックチャネルと、前記パケットの受信用の制御情報を伝送する制御チャネルと、前記送信電力制御情報を含む情報を伝送するチャネルとを少なくとも含むチャネルを多重化して、一方の無線通信装置と他方の無線通信装置との間で無線通信する移動無線通信システムに於いて、
一方の無線通信装置から他方の無線通信装置に対して前記個別チャネルによる前記送信電力制御情報を前記パケットの長さに比較して長い一定の周期で送信し、前記トラフィックチャネルによるパケットの送信時に、前記制御チャネルにより前記送信電力制御情報を送信する手段を前記一方の無線通信装置に設けた
ことを特徴とする移動無線通信システム。
【請求項２】
複数の無線通信装置の中の少なくとも移動する無線通信装置を含み、パケットを伝送するトラフィックチャネルと、前記パケットの受信用の制御情報を伝送する制御チャネルと、送信電力制御情報を含む情報を伝送する個別チャネルとを少なくとも含むチャネルを多重化して、一方の無線通信装置と他方の無線通信装置との間で無線通信する移動無線通信システムに於いて、
前記一方の無線通信装置から前記他方の無線通信装置に対して前記一定の周期で前記送信電力制御情報を含む情報を伝送するチャネルにより送信する前記送信電力制御情報の受信直前と、前記制御チャネルにより送信した前記送信電力制御情報の受信直後とに、パイロット信号を送信する手段を前記他方の無線通信装置に設けた
ことを特徴とする移動無線通信システム。
【請求項３】
前記一方の無線通信装置から前記他方の無線通信装置に送信する前記送信電力制御情報を、前記送信電力制御情報を含む情報を伝送するチャネルにより送信する第１の送信電力制御情報と、前記制御チャネルにより送信する第２の送信電力制御情報とし、前記パイロット信号を、前記第１の送信電力制御情報の送信周期より短い周期で送信する手段を前記他方の無線通信装置に設けたことを特徴とする前記請求項２記載の移動無線通信システム。
【請求項４】
前記一方の無線通信装置から前記他方の無線通信装置に送信する前記送信電力制御情報を、前記送信電力制御情報を含む情報を伝送するチャネルにより送信する第１の送信電力制御情報と、前記制御チャネルにより送信する第２の送信電力制御情報として、前記第１の送信電力制御情報による送信電力制御量に対して、前記第２の送信電力制御情報による送信電力制御量を同一又は大きくしたことを特徴とする請求項１乃至３項の何れか１項記載の移動無線通信システム。
【請求項５】
共有チャネルを介してデータを送信する移動無線通信システムに於ける該データを送信する無線通信装置に於いて、
ある移動局に対する送信電力制御情報を、所定の周期で送信するとともに、該ある移動局に対して前記データを送信する場合に、その受信に必要となる制御情報に送信電力制御情報を含めて送信する送信部を備えた
ことを特徴とする無線通信装置。
【請求項６】
前記所定の周期で送信する送信電力制御情報による送信電力制御量に対して、前記制御情報に含まれる送信電力制御情報による送信電力制御量を同一又は大きくしたことを特徴とする請求項５記載の無線通信装置。
【請求項７】
共有チャネルを介してデータを送信する移動無線通信システムに於ける該データを受信する無線通信装置に於いて、
パイロット信号を前記データの受信に必要な制御情報の受信に連動させて送信する送信部を備えた
ことを特徴とする無線通信装置。
【請求項８】
前記送信部は、更に所定の周期でパイロット信号を送信するとともに、該周期に対して前記連動して送信するパイロット信号の送信周期を短くしたことを特徴とする請求項７記載の無線通信装置。
【発明の詳細な説明】
【技術分野】
【０００１】
本発明は、送信電力制御情報に従って送信電力を制御して無線通信を行う移動無線通信システム及び無線通信装置に関する。
【背景技術】
【０００２】
移動局や基地局等の無線通信装置間で無線通信を行う移動無線通信システムは、例えば、図５に示すように、複数の分散配置された無線通信装置としての基地局５０ａ，５０ｂと、基地局のサービスエリア内で移動しながら無線通信を行う移動局５０ｃとを含むものであり、５１ａ，５１ｂ，５１ｃはアンテナ、５２ａ，５２ｂはネットワーク（図示を省略）に対するインタフェース部、５３ａ，５３ｂ，５３ｃは増幅器や変復調部等を含む送受信部、５４ａ，５４ｂ、５４ｃは信号処理部を示す。
【０００３】
移動局５０ｃと基地局５０ａ，５０ｂとの間の無線通信方式は、Ｗ−ＣＤＭＡ（Ｗｉｄｅ−Ｃｏｄｅ  Ｄｉｖｉｓｉｏｎ  Ｍｕｌｔｉｐｌｅ  Ａｃｃｅｓｓ）方式や、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式等の各種の方式が適用されている。又移動局５０ｃから基地局５０ａ，５０ｂに送信する信号が、基地局に於いて充分な電力で受信され、且つ大き過ぎる電力で送信することによる他のチャネルへの干渉を最小とする為に、基地局からの下りリンク（個別チャネル）により、一定間隔で送信電力制御情報（ＴＰＣ；Ｔｒａｎｓｍｉｔ  Ｐｏｗｅｒ  Ｃｏｎｔｒｏｌ）を送信し、移動局５０ｃは、この送信電力制御情報に従って送受信部５３ｃの送信電力を増減する送信電力制御が行われる。尚、この送信電力情報は、移動局から送信されるパイロット信号等の受信レベル（品質）に応じて生成しており、受信レベル（品質）が高い場合は、送信電力を下げる指示、受信レベル（品質）が低い場合は、送信電力を上げる指示を行うものである。
【０００４】
又パケット通信を行う移動無線通信システムに於いては、パケットの正常受信時にＡＣＫ信号、異常受信時にＮＡＣＫ信号を個別チャネル等を介して送信するが、パケット送信頻度が低く、ＡＣＫ信号又はＮＡＣＫ信号等の受信応答信号の送信が必要でない期間であっても、このＡＣＫ信号等を送信する際のこの個別チャネルの電力が適当となるように、別個の個別チャネルを介してパイロット信号等を継続して送信するものである。従って、このような信号を送信する為に、移動局は電力を消費している。
【０００５】
又Ｗ−ＣＤＭＡ方式に於いて、下りリンクで最大１４Ｍｂｐｓの伝送速度を実現する為のＨＳＤＰＡ（Ｈｉｇｈ  Ｓｐｅｅｄ  Ｄｏｗｎｌｉｎｋ  Ｐａｃｋｅｔ  Ａｃｃｅｓｓ）が規定されている。この方式は、パケット伝送について、適応符号化変調方式を採用するもので、例えば、ＱＰＳＫ（Ｑｕａｄｒａｔｕｒｅ  Ｐｈａｓｅ  Ｓｈｉｆｔ  Ｋｅｙｉｎｇ）変調方式と、１６値ＱＡＭ（Ｑｕａｄｒａｔｕｒｅ  Ａｍｐｌｉｔｕｄｅ  Ｍｏｄｕｌａｔｉｏｎ）方式とを、無線伝搬路の状態に対応した伝送レートとなるように、適応的に切替えるものである。
【０００６】
このＨＳＤＰＡ方式は、Ｈ−ＡＲＱ（Ｈｙｂｒｉｄ  Ａｕｔｏｍａｔｉｃ  Ｒｅｐｅａｔ  Ｒｅｑｕｅｓｔ）方式を採用しており、例えば、図５に示す移動無線通信システムに於ける移動局５０ｃは、基地局５０ａからのパケットデータを受信して、誤りを検出すると、基地局５０ａへ再送信の要求を行うことにより、その基地局５０ａからはパケットデータの再送信が行われ、移動局５０ｃは、受信済みのデータと、再送信されたデータとの双方を用いて誤り訂正復号化処理を行う手段が適用される。
【０００７】
又ＨＳＤＰＡ方式に於ける主な無線チャネルは、ＨＳ−ＳＣＣＨ（Ｈｉｇｈ  Ｓｐｅｅｄ−Ｓｈａｒｅｄ  Ｃｏｎｔｒｏｌ  Ｃｈａｎｎｅｌ）、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）、ＨＳ−ＤＰＣＣＨ（Ｈｉｇｈ  Ｓｐｅｅｄ−Ｄｅｄｉｃａｔｅｄ  Ｐｈｙｓｉｃａｌ  Ｃｏｎｔｒｏｌ  Ｃｈａｎｎｅｌ）等がある。
【０００８】
前述の無線チャネルのＨＳ−ＳＣＣＨとＨＳ−ＰＤＳＣＨとは、移動無線通信システムの場合の基地局から移動局への下り方向（Ｄｏｗｎｌｉｎｋ）の共有チャネルであり、又ＨＳ−ＳＣＣＨは、ＨＳ−ＰＤＳＣＨにより送信するデータに関する各種パラメータを送信する制御チャネルである。この各種パラメータとしては、例えば、ＨＳ−ＰＤＳＣＨによりデータを送信する変調方式を示す変調タイプ情報や、拡散符号のコード数、送信データに対して施したレートマッチング処理のパターン情報等が含まれる。
【０００９】
又ＨＳ−ＤＰＣＣＨは、移動無線通信システムの場合の移動局から基地局への上り方向（Ｕｐｌｉｎｋ）の個別制御チャネルであり、ＨＳ−ＰＤＳＣＨにより受信したデータの正常受信の可否に対応したＡＣＫ信号、ＮＡＣＫ信号を移動局から基地局へ送信する場合に使用するものである。例えば、受信データのＣＲＣエラー検出の場合等に於いては、ＮＡＣＫ信号を基地局へ送信し、それを基に基地局は再送処理を行うことになる。又ＨＳ−ＤＰＣＣＨは、基地局からの受信信号の受信品質（例えば、ＳＩＲ（Ｓｉｇｎａｌ  ｔｏ  Ｉｎｔｅｒｆｅｒｅｎｃｅ  Ｒａｔｉｏ））を測定し、その結果を、ＣＱＩ（Ｃｈａｎｎｅｌ  Ｑｕａｌｉｔｙ  Ｉｎｄｉｃａｔｏｒ）として基地局へ定期的に送信する為に使用するものである。基地局は、このＣＱＩに基づいて、下り方向の無線環境の良否を判定し、良好の場合は、より高速でデータを送信可能とする変調方式に切替え、反対に不良の場合は、より低速でデータを送信する変調方式等に切替えるものである。
【００１０】
図６は、前述のＨＳＤＰＡに於けるチャネル構成説明図であり、前述のＣＰＩＣＨ，Ｐ−ＣＣＰＣＨ，ＨＳ−ＳＣＣＨ，ＨＳ−ＰＤＳＣＨ，ＨＳ−ＤＰＣＣＨの概要を示すもので、ＣＰＩＣＨ（Ｃｏｍｍｏｎ  Ｐｉｌｏｔ  Ｃｈａｎｎｅｌ）と、Ｐ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）とは、それぞれ下り方向の共通チャネルである。又ＣＰＩＣＨは、移動局に於いてチャネル推定、セルサーチ、同一セル内に於ける他の下り物理チャネルのタイミング基準として利用するチャネルであり、所謂パイロット信号を送信する為のチャネルである。又Ｐ−ＣＣＰＣＨは、報知情報を送信する為のチャネルである。又ＨＳ−ＳＣＣＨ，ＨＳ−ＰＤＳＣＨ，ＨＳ−ＤＰＣＣＨは、前述の制御チャネルを示し、ＨＳ−ＤＰＣＣＨにより前述のＣＱＩ及びＡＣＫ／ＮＡＣＫを送信する。
【００１１】
又１５スロットにより１フレーム（１０ｍｓ）を構成し、ＣＰＩＣＨは、タイミング基準として用いる為に、Ｐ−ＣＣＰＣＨ，ＨＳ−ＳＣＣＨのフレーム先頭は、ＣＰＩＣＨのフレーム先頭と一致しているが、ＨＳ−ＰＤＳＣＨのフレーム先頭は、２スロット分遅延している。これは、移動局がＨＳ−ＰＤＳＣＨの復調を行う為に必要な情報を先に受信識別する為である。即ち、変調方式や拡散コード等の情報を予めＨＳ−ＳＣＣＨにより予告通知することにより、ＨＳ−ＰＤＳＣＨの復調、復号を行う為である。又ＨＳ−ＳＣＣＨ，ＨＳ−ＰＤＳＣＨは、３スロットで１サブフレームを構成している。
【００１２】
又ＨＳ−ＳＣＣＨによる情報は、３ＧＰＰ  ＴＳ２５．２１２ｖ．５．７．０を参照すると、次の（ａ）〜（ｇ）に示すものである。
（ａ）Ｘｃｃｓ（Ｃｈａｎｎｅｌｉｚａｔｉｏｎ  Ｃｏｄｅ  Ｓｅｔ  Ｉｎｆｏｒｍａｔｉｏｎ）；７ビット；ＨＳ−ＤＳＣＨに使用されている拡散コードの情報。
（ｂ）Ｘｍｓ（Ｍｏｄｕｌａｔｉｏｎ  Ｓｃｈｅｍｅ  Ｉｎｆｏｒｍａｔｉｏｎ）；１ビット；ＨＳ−ＤＳＣＨに使用されている変調方式。
（ｃ）Ｘｔｂｓ（Ｔｒａｎｓｐｏｒｔ−Ｂｌｏｃｋ  Ｓｉｚｅ  Ｉｎｆｏｒｍａｔｉｏｎ）；６ビット；誤り訂正符号化される送信データブロックサイズ。
（ｄ）Ｘｈａｐ（Ｈｙｂｒｉｄ−ＡＲＱ  Ｐｒｏｃｅｓｓ  Ｉｎｆｏｒｍａｔｉｏｎ）；３ビット；再送制御を行うプロセス番号。
（ｅ）Ｘｒｖ；（Ｒｅｄｕｎｄａｎｃｙ  ａｎｄ  Ｃｏｎｓｔｅｌｌａｔｉｏｎ  Ｖｅｒｓｉｏｎ）；３ビット；レートマッチングのパラメータ。
（ｆ）Ｘｎｄ；Ｎｅｗ  Ｄａｔａ  Ｉｎｄｉｃａｔｏｒ；１ビット；新規データかどうかの情報。
（ｇ）Ｘｕｅ；ＵＥ  Ｉｄｅｎｔｉｔｙ；１６ビット；ユーザ識別情報。
以上のように、合計３７ビットの構成であり、このＨＳ−ＳＣＣＨを受信することにより、ＨＳ−ＤＳＣＨで用いられている変調方式、拡散コード、誤り訂正のパラメータ等を知ることができる。従って、それらのパラメータに従ってＨＳ−ＤＳＣＨを復調，復号することができる。
【００１３】
前記（ａ）Ｘｃｃｓは、ＨＳ−ＰＤＳＣＨによりデータを送信する時の拡散コードを示すもので、例えば、マルチコード数とコードオフセットとの組み合わせを示すことができる。又（ｂ）Ｘｍｓは、変調方式が例えばＱＰＳＫか１６値ＱＡＭかを“１”、“０”により示すものである。又（ｃ）Ｘｔｂｓは、ＨＳ−ＰＤＳＣＨの１サブフレームで送信するデータサイズを算出する為のデータであり、（ｄ）Ｘｈａｐは、Ｈ−ＡＲＱのプロセス番号を示すもので、送信したデータのブロックに対して連続した番号とし、再送時には、前回の送信データのプロセス番号と同一の番号を用いる。
【００１４】
又（ｅ）Ｘｒｖは、ＨＳ−ＰＤＳＣＨの再送信時に於ける冗長バージョンパラメータ、コンスタレーションパラメータを示すもので、新規送信や再送信に於いてパラメータを更新する場合と、変更しない場合とがある。又（ｆ）Ｘｎｄは、ＨＳ−ＰＤＳＣＨの送信ブロックが新規ブロックか再送ブロックかを示すデータであって、新規ブロックは、“１”、“０”を交互に変化させ、再送ブロックは、前と同一として変化させないことにより、区別するものである。又（ｇ）Ｘｕｅは、移動局（ユーザ）の識別情報である。
【００１５】
前述のＨＳ−ＳＣＣＨを受信することにより、ＨＳ−ＰＤＳＣＨで適用されている変調方式、拡散コード、誤り訂正のパラメータ等を認識して、ＨＳ−ＰＤＳＣＨの復調、復号を行うことができる（例えば、非特許文献１、非特許文献２、非特許文献３及び非特許文献４参照）。
【００１６】
又Ｗ−ＣＤＭＡシステムのエンハンスとして、Ｆ−ＤＰＣＨ（Ｆｒａｃｔｉｏｎａｌ  Ｄｅｄｉｃａｔｅｄ  Ｐｈｙｓｉｃａｌ  Ｃｈａｎｎｅｌ）が提案されている（例えば、非特許文献５参照）。これは、複数のユーザの個別チャネルのパイロット信号と送信電力制御情報（ＴＰＣ）のみに、同じ拡散コードを割り当て、複数ユーザを同じスロット内に時分割多重化して送信するものである。
【００１７】
ＨＳ−ＰＤＳＣＨ等の共有チャネル（トラフィックチャネル）でデータ受信を行うユーザは、トラフィックデータをＨＳ−ＰＤＳＣＨで伝送している為に、個別チャネル（例えば、ＨＳチャネルとは異なるＤＰＣＨ）で伝送すべきデータが殆ど無い場合が多い。しかし、送信電力制御の為にＴＰＣビットやパイロット信号を伝送する必要があるから、個別チャネル（ＤＰＣＨ）をＨＳ−ＰＤＳＣＨと同時に接続している必要があり、データ伝送の必要が無いにも拘わらず１コードを占有し、結果的には同様なユーザが複数存在することでリソース不足を招く問題が起きていた。又Ｆ−ＤＰＣＨは、この問題を解決すべく、個別チャネルで伝送するデータの無い複数のユーザのＴＰＣビットとパイロット信号とを、同じコードで拡散処理し、時分割多重を行うことにより、リソース不足を解消しようとするものである。
【００１８】
又Ｆ−ＤＰＣＨと類似の構成として、電力制御チャネルを専用に用意し、その中に複数のユーザのＴＰＣビットを時間多重で埋め込み、又パケット伝送を行うトラフィックチャネルにも同様のＴＰＣビットを埋め込み、伝送するパケットが発生している場合には、電力制御チャネルによるＴＰＣビットを無効情報に変更することにより、トラフィックチャネルによるＴＰＣビットを優先させて、送信電力制御を行う無線通信装置が提案されている（例えば、特許文献１参照）。
【特許文献１】特開平１１−１４５９０１号公報
【非特許文献１】Ａｒｉ  Ｈｏｔｔｉｎｅｎ，Ｏｌａｖ  Ｔｉｒｋｋｏｎｅｎ，Ｒｉｓｔｏ  Ｗｉｃｈｍａｎ著“Ｍｕｌｔｉ−ａｎｔｅｎｎａ  Ｔｒａｎｓｃｅｉｖｅｒ  Ｔｅｃｈｎｉｑｕｅｓ  ｆｏｒ  ３Ｇ  ａｎｄ  Ｂｅｙｏｎｄ”
【非特許文献２】３ＧＰＰ  ＴＳ  ２５．２１１  ｖ５．５．０（３ｒｄ  Ｇｅｎｅｒａｔｉｏｎ  Ｐａｒｔｎｅｒｓｈｉｐ  Ｐｒｏｊｉｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ（ＦＤＤ）
【非特許文献３】３ＧＰＰ  ＴＳ  ２５．２１３  ｖ５．５．０（３ｒｄ  Ｇｅｎｅｒａｔｉｏｎ  Ｐａｒｔｎｅｒｓｈｉｐ  Ｐｒｏｊｉｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｓｐｒｅａｄｉｎｇ  ａｎｄ  ｍｏｄｕｌａｔｉｏｎ（ＦＤＤ）
【非特許文献４】３ＧＰＰ  ＴＳ  ２５．２１４  ｖ５．７．０（３ｒｄ  Ｇｅｎｅｒａｔｉｏｎ  Ｐａｒｔｎｅｒｓｈｉｐ  Ｐｒｏｊｉｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  ｌａｙｅｒ  ｐｒｏｃｅｄｕｒｅｓ（ＦＤＤ）
【非特許文献５】３ＧＰＰ  Ｒ１−０３１０７３
【発明の開示】
【発明が解決しようとする課題】
【００１９】
前述のＷ−ＣＤＭＡ方式に於ける上りリンクでは、個別チャネル（ＤＰＣＨ）の送信電力制御（ＴＰＣ）が行われている。この送信電力制御（ＴＰＣ）は、ＴＰＣビットと呼ばれる送信電力制御情報をスロット単位で、基地局から移動局にフィードバックすることによって、移動局の送信電力制御が行われるものである。一方、ＨＳ−ＰＤＳＣＨ等の共有チャネルを用いたパケット通信方式を適用した場合、自局宛てのデータがないにもかかわらず、受信応答信号を送信する際の送信電力が適当に維持されるように、上り、下りのＤＰＣＨを介してパイロット信号、ＴＰＣビット等を常時定期的に送信する為、コードリソースを占有することになるから、コードリソースの不足が生じる問題があり、又移動局は、常時パイロット信号を送信する必要があるから、消費電力が大きくなる問題があった。
【００２０】
又Ｗ−ＣＤＭＡ方式に、前述のＦ−ＤＰＣＨを適用して、複数のＡ−ＤＰＣＨを時分割多重によってまとめることにより、コードリソースの有効利用を図る手段が提案されているが、送信電力制御（ＴＰＣ）ビットは、スロット単位で送信されるものであるから、多数のユーザに対して総て多重化することができない問題がある。即ち、同一のエリア内でパケット伝送を行う移動局の収容可能数を多くできない問題がある。又上りリンクについては、常時送信するものと仮定されているから、移動局は、パケット伝送の有無に拘わらず、送信電力制御の為のパイロット信号等の送信を行うことになる。従って、消費電力を抑制することが困難であった。即ち、移動局は、比較的小型の電池を電源として送受信処理するものであるから、消費電力を低減しないと、長時間のパケット伝送を継続することができなくなる。
【００２１】
又前述の電力制御チャネルとトラフィックチャネルとによりＴＰＣビットを伝送する従来の構成に於いては、トラフィックチャネルによりＴＰＣビットを伝送する場合は、電力制御チャネルによるＴＰＣビットとの矛盾が生じないように、電力制御チャネル側のＴＰＣビットを無効化する処理が必要である。従って、処理が複雑化する問題と共に低消費電力化を行うことは困難である問題がある。また、電力制御チャネルは、送信しようとする制御パケットがない場合に送信されるものであり、周期的に送信されるものでなく、電力制御が安定化しない。
【００２２】
本発明は、前述の従来の問題点を解決するものであり、送信電力制御を、低消費電力且つ所望の精度で実行可能とすることを目的とする。
【課題を解決するための手段】
【００２３】
本発明の移動無線通信システムは、複数の無線通信装置の中の少なくとも移動する無線通信装置を含み、パケットを伝送するトラフィックチャネルと、パケットの受信用の制御情報を伝送する制御チャネルと、送信電力制御情報を含む情報を伝送するチャネルとを少なくとも含むチャネルを多重化して、一方の無線通信装置と他方の無線通信装置との間で無線通信する移動無線通信システムに於いて、一方の無線通信装置から他方の無線通信装置に対して、送信電力制御情報を含む情報を伝送するチャネルによる送信電力制御情報を、パケットの長さに比較して長い一定の周期で送信し、トラフィックチャネルによるパケットの送信時に、制御チャネルにより、送信電力制御情報を送信する手段を前記一方の無線通信装置に設けている。
【００２４】
又複数の無線通信装置の中の少なくとも移動する無線通信装置を含み、パケットを伝送するトラフィックチャネルと、パケットの受信用の制御情報を伝送する制御チャネルと、送信電力制御情報を含む情報を伝送するチャネルとを少なくとも含むチャネルを多重化して、一方の無線通信装置と他方の無線通信装置との間で無線通信する移動無線通信システムに於いて、一方の無線通信装置から他方の無線通信装置に対して、一定の周期で送信電力制御情報を含む情報を伝送するチャネルにより送信する送信電力制御情報の受信直前と、制御チャネルにより送信した送信電力制御情報の受信直後とに於いて、パイロット信号を送信する手段を前記他方の無線通信装置に設けている。
【００２５】
又一方の無線通信装置から他方の無線通信装置に送信する送信電力制御情報を、送信電力制御情報を含む情報を伝送するチャネルにより送信する第１の送信電力制御情報と、制御チャネルにより送信する第２の送信電力制御情報とし、パイロット信号を、第１の送信電力制御情報の送信周期より短い周期で送信する手段を前記他方の無線通信装置に設けている。
【００２６】
又一方の無線通信装置から他方の無線通信装置に送信する送信電力制御情報を、送信電力制御情報を含む情報を伝送するチャネルにより送信する第１の送信電力制御情報と、制御チャネルにより送信する第２の送信電力制御情報として、第１の送信電力制御情報による送信電力制御量に対して、第２の送信電力制御情報による送信電力制御量を同一又は大きくする。
【００２７】
又共有チャネルを介してデータを送信する移動無線通信システムに於ける該データを送信する無線通信装置に於いて、ある移動局に対する送信電力制御情報を、所定の周期で送信するとともに、該ある移動局に対して前記データを送信する場合に、その受信に必要となる制御情報に送信電力制御情報を含めて送信する送信部を備えている。
又前記前記所定の周期で送信する送信電力制御情報による送信電力制御量に対して、前記制御情報に含まれる送信電力制御情報による送信電力制御量を同一又は大きくした。
又共有チャネルを介してデータを送信する移動無線通信システムに於ける該データを受信する無線通信装置に於いて、パイロット信号を前記データの受信に必要な制御情報の受信に連動させて送信する送信部を備えている。
又前記送信部は、更に所定の周期でパイロット信号を送信するとともに、該周期に対して前記連動して送信するパイロット信号の送信周期を短くした。
【発明の効果】
【００２８】
本発明に於いては、送信電力制御情報を含む情報を伝送するチャネルによる送信電力制御情報を一定の周期で送信すると共に、パケット送信時に、制御チャネルにより送信電力制御情報を送信するもので、パケット送信を行わない期間では、送信電力制御情報を含む情報を伝送するチャネルによる送信電力制御情報を比較的長い一定の周期で送信することにより、送信電力制御は、その比較的長い一定の周期毎に行うことになるから、消費電力の低減を図ることができる。又パイロット信号を、連続的ではなく、所定の周期で送信すると共に、パケット送信有りを示す場合にも送信する構成とすることにより、連続的にパイロット信号を送信する場合に比較して、消費電力を一層低減することができる。又送信電力制御情報を、送信電力制御情報を含む情報を伝送するチャネルによる第１の送信電力制御情報と、制御チャネルによる第２の送信電力制御情報として、第２の送信電力制御情報による電力制御量を大きくすることにより、送信電力制御の応答性を向上することができる。
又送信電力制御情報を所定の周期で送信することで、送信電力制御の安定性を保ちつつ、データの受信のための制御情報にも送信電力制御情報を追加して、送信電力制御情報の送信の粗密をデータ送信に合わせて制御できる。
又パイロット信号の送信を省略する部分も形成できるため、無線送信に要する電力の削減を図ることができる。
【発明を実施するための最良の形態】
【００２９】
本発明の移動無線通信システムは、複数の無線通信装置の中の少なくとも移動する無線通信装置を含み、パケットを伝送するトラフィックチャネルと、パケットの受信用の制御情報を伝送する制御チャネルと、送信電力制御情報を含む情報を伝送する送信電力制御情報を含む情報を伝送するチャネルとを少なくとも含むチャネルを多重化して、一方の無線通信装置と他方の無線通信装置との間で無線通信する移動無線通信システムに於いて、一方の無線通信装置、例えば、基地局から他方の無線通信装置、例えば、移動局に対して、個別チャネルによる送信電力制御情報を、パケットの長さに比較して長い一定の周期で送信し、トラフィックチャネルによるパケットの送信時に、制御チャネルにより、送信電力制御情報を送信する手段を、前記基地局としての一方の無線通信装置に設ける。
【００３０】
又本発明の無線通信装置は、移動無線通信システムに於ける無線通信装置、例えば、基地局に於いて、送信電力制御情報を含む情報を伝送するチャネルによる送信電力制御情報を、トラフィックチャネルによるパケットの長さに比較して長い一定の周期で、例えば、移動局に送信し、且つトラフィックチャネルによるパケットの送信時に、制御チャネルにより送信電力制御情報を送信する送信手段を備えている。
尚、送信電力制御情報は、基本的に全て有効なもの（受信側において、送信電力制御に用いるもの）とする。
【実施例１】
【００３１】
図１は、本発明の実施例１の無線通信装置の説明図であり、一方と他方との無線通信装置を含み、ＣＤＭＡ方式を適用した移動無線通信システムに於ける一方の無線通信装置、例えば、基地局に相当する無線通信装置の要部を示すものである。同図に於いて、１，２１はアンテナ、２は高周波処理部（ＲＦＩＦ）、３は多重化部、４，５，６は乗算部、７，８，９は拡散部、１０はシンボルマッピング部、１１，１２はフレーム生成部、２２は高周波処理部（ＲＦＩＦ）、２３は逆拡散部、２４はパイロットシンボル抽出部、２５はＳＩＲ（Ｓｉｇｎａｌ  ｔｏ  Ｉｎｔｅｒｆｅｒｅｎｃｅ  Ｒａｔｉｏ）推定部、２６はＴＰＣＣ（送信電力制御情報）生成部を示す。なお、ＴＣＨデータと、ＴＣＨ変調情報と、ＤＣＨデータとの生成処理部及び基地局とした場合のネットワークとのインタフェース部分については、既に知られている各種の構成を適用できるものであり、それらの構成は、図示を省略している。
【００３２】
アンテナ１に接続された高周波処理部２は、符号化、変調等を行う手段と、送信電力増幅部とを含む構成を有し、又アンテナ２１に接続された高周波処理部２２は、低雑音増幅部と、復調、復号等を行う手段とを含む構成を有する。又ＴＣＨ（トラフィックチャネル、例えば、ＨＳ−ＰＤＳＣＨ）データを、シンボルマッピング部１０に入力し、又ＴＣＨ変調情報（例えば、ＨＳ−ＳＣＣＨで送信する情報）を、シンボルマッピング部１０とフレーム生成部１１とに入力し、又ＤＣＨ（個別チャネル（ＤＰＣＨ））データを、フレーム生成部１２に入力する。シンボルマッピング部１０に於いては、ＴＣＨデータを、ＴＣＨ変調情報に従ってマッピングし、トラフィックチャネルＴＣＨとして拡散部７に入力して、割り当てられた拡散コードにより拡散処理し、乗算部４に入力する。
【００３３】
又フレーム生成部１１は、ＴＣＨ変調情報と、ＴＰＣＣ生成部２６からの送信電力制御情報とを含むフレームを生成して、制御チャネルＣＣＨとして拡散部８に入力し、割り当てられた拡散コードにより拡散処理し、乗算部５に入力する。又フレーム生成部１２は、ＤＣＨデータと、ＴＰＣＣ生成部２６からの送信電力制御情報とを含むフレームを生成して、個別チャネルＤＣＨとして拡散部９に入力し、割り当てられた拡散コードにより拡散処理し、乗算部６に入力する。即ち、ＴＣＨデータと、ＴＣＨ変調情報と、ＤＣＨデータとは、それぞれ異なる拡散コードにより拡散処理される。又乗算部４，５，６は、チャネル毎の送信電力比を設定するゲインＧ０，Ｇ１，Ｇ２を乗算し、多重化部３に於いてチップ毎の加算処理により多重化し、高周波処理部２に入力して、変調及び増幅処理し、アンテナ１から送信する。この場合の拡散部７，８，９に於ける拡散コードはそれぞれ相違させるものである。
【００３４】
又アンテナ２１により受信した信号を高周波処理部２２に於いて増幅、復調、復号等の処理を行って、逆拡散部２３により逆拡散処理し、パイロットシンボル抽出部２４によりパイロットシンボルを抽出（例えば、上りのＤＰＣＨの受信により抽出）する。このパイロットシンボルの複数のシンボルから、ＳＩＲ推定部２５に於いて、ＳＩＲ（Ｓｉｇｎａｌ  ｔｏ  Ｉｎｔｅｒｆｅｒｅｎｃｅ  Ｒａｔｉｏ）を推定し、この推定によるＳＩＲ値をＴＰＣＣ生成部２６に入力する。このＴＰＣＣ生成部２６は、ＳＩＲ値を閾値と比較して、例えば、大きい場合には、ＴＰＣＣ＝−１、小さい場合には、ＴＰＣＣ＝＋１とした送信電力制御情報ＴＰＣＣをフレーム生成部１１，１２に入力する。なお、後述のように、１段階毎の送信電力制御のみでなく、複数段階による送信電力制御を可能とするＴＰＣＣ構成とすることも可能である。
【００３５】
従って、ＴＣＨ変調情報と送信電力制御情報ＴＰＣＣとは、フレーム生成部１１により制御チャネルＣＣＨ（例えば、ＨＳ−ＳＣＣＨ）により送信することになり、又ＤＣＨデータと送信電力制御情報ＴＰＣＣとは、個別チャネルＤＣＨ（ＤＰＣＨ）により送信される。即ち、送信電力制御情報は、制御チャネルＣＣＨと個別チャネルＤＣＨとの両方により送信するものである。その場合、個別チャネルＤＣＨにより、比較的長い周期で、送信電力制御情報ＴＰＣＣを送信し、制御チャネルＣＣＨによりパケットの有無を通知してパケット伝送を行う場合に、そのパケット対応のタイミングにより、送信電力制御情報ＴＰＣＣを送信する。このような送信電力制御情報の送信については、図示を省略した制御部からの制御により行うことができる。従って、パケット対応のタイミングに従った送信電力制御情報ＴＰＣＣは、個別チャネルにより送信する送信電力制御情報ＴＰＣＣより短い周期となるから、送信電力制御の追従性を向上することができる。又個別チャネルにより送信する送信電力制御情報による電力制御量に比較して、制御チャネルにより送信する送信電力制御制御情報による電力制御量を大きくすることも可能である。
【００３６】
図２は、本発明の実施例１の無線通信装置の要部の説明図であり、ＣＤＭＡ方式を適用した一方と他方との無線通信装置を含む移動無線通信システムに於ける他方の無線通信装置、例えば、移動局に相当する無線通信装置の要部を示すものであり、３１，４１はアンテナ、３２は高周波処理部（ＲＦＩＦ）、３３はＣＣＨ逆拡散部、３４はＴＣＨ逆拡散部，３５はＤＣＨ逆拡散部，３６はビット判定部、３７はＴＰＣＣ抽出部、３８は送信電力制御部、４２は高周波処理部（ＲＦＩＦ）、４３は乗算部、４４は多重化部、４５，４６，４７は拡散部を示す。なお、下りリンクトラフィックデータの処理部や、上りリンクトラフィックデータの処理部等は、既に知られている各種の構成を適用することができるもので、図示を省略している。
【００３７】
アンテナ３１は、例えば、図１に示すアンテナ１から送信した送信信号を受信し、この受信信号を、高周波処理部３２に入力する。この高周波処理部３２は、低雑音増幅部と、復調、復号等を行う手段を含む構成を有する。又アンテナ４１は、例えば、図１に示すアンテナ２１に対して、高周波処理部４２からの信号を送信する為のものであり、高周波処理部４２は、符号化、変調等を行う手段と、送信電力増幅部とを含む構成を有するものである。又高周波処理部３２により復調、復号化して、ＣＣＨ逆拡散部３３と、ＴＣＨ逆拡散部３４と、ＤＣＨ逆拡散部３５とに入力し、送信側に於いて拡散処理した拡散コードにより、それぞれ逆拡散処理する。
【００３８】
ＴＣＨ逆拡散部３４により、送信側からのＴＣＨ変調情報を逆拡散処理してビット判定部３６に入力し、且つＴＣＨ逆拡散部３４により、送信側からのＴＣＨ変調情報を逆拡散処理してビット判定部３６に入力し、ビット判定により、下りリンクトラフィックデータを出力する。又ＴＣＨ逆拡散部３４とＤＣＨ逆拡散部３５とによりそれぞれ逆拡散して、送信電力制御情報を含む逆拡散出力をＴＰＣＣ抽出部３７に入力し、送信電力制御情報を抽出して、送信電力制御部３８に入力する。
【００３９】
又上りリンクトラフィックデータと、パイロットシンボルと、下りリンクトラフィックデータ出力を処理する受信処理結果に基づいたＡｃｋ，Ｎａｃｋとをそれぞれの拡散部４５，４６，４７に入力して、それぞれ異なる拡散コードにより拡散処理し、多重化部４４により多重化し、送信電力制御部３８から乗算部４３に入力する制御値により、送信電力を制御して、高周波処理部４２により符号化、変調等の処理を行い、且つ増幅してアンテナ４１から送信する。その場合の送信電力制御部３８は、ＴＰＣＣ抽出部３７により抽出した送信電力制御情報ＴＰＣＣ＞０の場合は、送信電力Ｐｔｘを前回の値に対して＋１ｄＢとし、反対に送信電力制御情報ＴＰＣＣ＜０の場合は、送信電力Ｐｔｘを前回の値に対してー１ｄＢするもので、更新された送信電力Ｐｔｘに対応した値を乗算部４３に入力することになる。なお、前述のように、送信電力制御情報ＴＰＣＣの構成として、複数ビットを用いることにより、送信電力制御のステップを複数段階で上昇又は下降するように制御することも可能である。
【００４０】
図３は、本発明の実施例１の送信電力制御の説明図であり、個別チャネルＤＣＨ（Ｄｅｄｉｃａｔｅｄ  Ｃｈａｎｎｅｌ）と、制御チャネルＣＣＨ（Ｃｏｎｔｒｏｌ  Ｃｈａｎｎｅｌ）と、トラフィックチャネルＴＣＨ（Ｔｒａｆｆｉｃ  Ｃｈａｎｎｅｌ）と、上りＡｃｋ，Ｎａｃｋ送信と、上りｐｉｌｏｔ（パイロット信号）送信とについて示すものであり、この上りＡｃｋ，Ｎａｃｋ送信に関係なく、上りパイロット信号は、連続的に送信する場合を示し、その場合の送信電力の大きさを、それぞれの高さで例示している。又個別チャネルＤＣＨによる送信電力制御情報ＴＰＣＣを、第１の送信電力制御情報、制御チャネルＣＣＨによる送信電力制御情報ＴＰＣＣを、第２の送信電力制御情報とすると、第１の送信電力制御情報は、スロット内の斜線を施した自局宛ＴＰＣＣとして示すように、同一スロット内に、他局宛ＴＰＣＣと共に自局宛ＴＰＣＣが伝送される場合と、自局宛ＴＰＣＣを含まないスロットとを有するものである。即ち、自局宛ＴＰＣＣの第１の送信電力制御情報は、所定の比較的長い一定の周期で送信するものである。この周期は、予め、送受信側で設定することができる。又制御チャネルＣＣＨによる自局宛ＴＰＣＣ、即ち、第２の送信電力制御情報は、パケットの送信に対応したものとする。従って、第２の送信電力制御情報は、第１の送信電力制御情報の送信周期より短いパケットの送信周期に従った周期で、送信電力制御情報ＴＰＣＣが伝送される。
【００４１】
このように、送信電力制御情報ＴＰＣＣは、パケット伝送を行わない期間では、第１の送信電力制御情報の比較的長い周期で送信することになり、それに対応して、比較的長い周期に於いて送信電力制御を行うことになる。又パケット伝送を行う期間では、パケットの伝送周期に従って第２の送信電力制御情報を送信することになるから、迅速な送信電力制御が可能となる。又パケット伝送を行わない期間では、余分な送信電力制御を省略することになるから、消費電力の低減を図ることができる。又パケット伝送を行う期間では、第１及び第２の送信電力制御情報を送信することにより、無線伝播路に於けるフェ−ジング等の状態変化に対しても、迅速に送信電力の制御が可能となる。
【実施例２】
【００４２】
図４は、本発明の実施例２の送信電力制御の説明図であり、Ｆ−ＤＰＣＨ（Ｆｒａｃｔｉｏｎａｌ  Ｄｅｄｉｃａｔｅｄ  Ｐｈｙｓｉｃａｌ  Ｃｈａｎｎｅｌ）を適用した場合を示す。このチャネルは、少なくともＴＰＣビットとパイロット信号とを有するスロットを含むものであり、又ＨＳ−ＳＣＣＨ（Ｓｈａｒｅｄ  Ｃｏｎｔｒｏｌ  Ｐｈｙｓｉｃａｌ  Ｃｈａｎｎｅｌ）（下りパケット制御チャネル）と、ＨＳ−ＰＤＳＣＨ（Ｈｉｇｈ  Ｓｐｅｅｄ  Ｄｏｗｎｌｉｎｋ  Ｓｈａｒｅｄ  Ｃｈａｎｎｅｌ）（下りトラフィックチャネル）と、上りＡｃｋ，Ｎａｃｋ送信（送信チャネルは、ＨＳ−ＤＰＣＣＨ）と、上りｐｉｌｏｔ（パイロット信号、送信チャネルは、ＤＰＣＨ）送信とについて示す。
【００４３】
ＴＰＣビット（送信電力制御情報）は、Ｆ−ＤＰＣＨ、ＨＳ−ＳＣＣＨを介して送信される。
Ｆ−ＤＰＣＨは、各スロット内に異なる複数の移動局宛てのＴＰＣビットを送信可能なチャネルであり、ここでは、２つの移動局宛てのＴＰＣビットが時間多重される例を示している。但し、自局宛てＴＰＣＣとして表記している、ある１つの移動局宛てのＴＰＣビットの送信周期は、２スロットであり、間に送信しないスロットを有している。また、他局宛てＴＰＣＣと表記している他の移動局宛てのＴＰＣビットの送信周期も同様に２スロットとなっているが、もちろん、移動局毎に異なる送信周期を設定してもよい。
一方、ＨＳ−ＳＣＣＨの各フレームも制御データの送信対象の移動局に対するＴＰＣビットを送信している。尚、この例では、このある１つの移動局宛てのＨＳ−ＳＣＣＨ送信だけを記載している。
【００４４】
従って、このある１つの移動局は、ＨＳ−ＳＣＣＨの受信により、ＨＳ−ＰＤＳＣＨを受信し、パケット（データ）を受信し、その受信結果をＡＣＫ、ＮＡＣＫ信号等の応答信号としてＨＳ−ＤＰＣＣＨを介して送信する。尚、この例では、ＨＳ−ＰＤＳＣＨを３回受信することとなるが、受信処理遅延等を考慮した所定時間後に順にＡＣＫ信号、ＮＡＣＫ信号が送信されている。
又パイロット信号は、Ｆ−ＤＰＣＨによる自局宛ての第１の送信電力制御情報ＴＰＣＣの送信周期に従って送信すると共に、ＨＳ−ＳＣＣＨを介して送信される制御情報や、Ａｃｋ，Ｎａｃｋ送信に連動して送信する。
但し、パイロット信号は、自局宛ての第１の送信電力制御情報ＴＰＣＣの送信周期に従って、且つその送信タイミングより前のタイミングで送信する。尚、このような制御は、例えば、図２に示す無線通信装置の拡散部４６にパイロットシンボルを入力するタイミングを、図示を省略している制御部によって行うことができる。
即ち、自局宛てにＴＰＣＣが定期的に送信されるが、その送信の際に含めるべき送信電力制御を生成するためには、移動局から既知信号（パイロット信号）が送信される必要がある。従って、自局宛てのＴＰＣＣの送信に先行して（ＴＰＣビットの生成に間に合うように所定時間前に）既知信号を送信するのである。
【００４５】
又パイロット信号は、ＨＳ−ＳＣＣＨを介して送信される制御情報や、Ａｃｋ，Ｎａｃｋ送信に連動しても送信する。
即ち、ＨＳ−ＳＣＣＨにより自局宛てにデータが送信されることを認識した場合、又は、ＨＳ−ＰＤＳＣＨにより自局宛てのデータを受信した場合、ＡＣＫ信号、ＮＡＣＫ信号を送信する場合に、既知信号を送信するのである。
尚、ＨＳ−ＰＤＳＣＨの受信、ＡＣＫ信号、ＮＡＣＫ信号の送信は、結局ＨＳ−ＳＣＣＨの受信に連動して行われるため、いずれの場合であっても、結局、自局宛てのＨＳ−ＳＣＣＨの受信に連動して既知信号を送信しているといえる。
【００４６】
従って、基地局側の図１に示す無線通信装置は、パイロット信号を受信して、ＳＩＲ推定部２５によりＳＩＲを推定し、その推定結果に基づいて、ＴＰＣＣ生成部２６に於いて送信電力制御情報ＴＰＣＣを生成し、第１の送信電力制御情報ＴＰＣＣを、Ｆ−ＤＰＣＨのスロット内の斜線を施して示す比較的長い周期（ある１つの移動局用の送信周期）で送信し、又パケット送信時は、ＨＳ−ＳＣＣＨの斜線を施して示す短い周期となる第２の送信電力制御情報ＴＰＣＣを送信する。この場合、パイロット信号を連続的に送信しなくても、送信電力制御が可能となり、従って、パイロット信号の送信に要する電力を削減することができる。又ＨＳ−ＰＤＳＣＨによりデータが送信される場合は、第１の送信電力制御情報ＴＰＣＣの送信周期をまたずとも、その送信直前のＨＳ−ＳＣＣＨによる送信電力制御情報ＴＰＣＣによってＡＣＫ信号等の送信電力制御を行うことができるから、ＳＩＲ等の無線伝播路の伝送品質に対応して、迅速に送信電力を制御することができる。
【００４７】
又自局宛てのＨＳ−ＳＣＣＨの受信に連動して、第１の送信電力制御情報ＴＰＣＣの送信周期よりも短い周期で所定数、所定長のパイロット信号を送信するようにすると好適である。即ち、自局宛てにデータが送信されたということは、まだ残りのデータがある可能性が高く、送信スケジュールの状況にもよるが、次のデータ送信に備えることができるからである。
【００４８】
又ＨＳ−ＳＣＣＨに連動したパイロット送信以外のパイロット送信について、Ｆ−ＤＰＣＨによる第１の送信電力制御情報ＴＰＣＣの送信周期よりも、パイロット信号の送信周期を短くすることができる。即ち、パイロット信号を受信処理してＳＩＲ推定を行う場合、パイロット信号が少ないよりも多い方が、推定精度が向上する。しかし、その分、パイロット信号送信の為の電力を必要とすることになる。そこで、前述のように、比較的長い周期で第１の送信電力制御情報を送信するが、その周期より短い周期でパイロット信号を送信して、推定精度の低下を避けることができる。
【００４９】
又送信電力制御情報を、前述のように、Ｆ−ＤＰＣＨにより送信する第１の送信電力制御情報ＴＰＣＣ１と、ＨＳ−ＳＣＣＨにより送信する第２の送信電力制御情報ＴＰＣＣ２とを、異なる送信電力制御量を示す情報とすることができる。その場合に、ＴＰＣＣ１＜ＴＰＣＣ２の関係とし、例えば、Ａｃｋ，Ｎａｃｋ等を送信する場合に、既に受信したＨＳ−ＳＣＣＨによる第２の送信電力制御情報ＴＰＣＣ２を利用して、所望の送信電力となるように迅速に電力上昇制御をすることができる。
尚、左から１番目のＨＳ−ＳＣＣＨのＴＰＣビットは、直前に受信したパイロット信号（この場合左から２番目のパイロット信号）に基づいて生成（または、安全のため送信電力を上げる指示とする）することとなるが、左から３つ目のパイロット信号を受信した基地局は、左から２つ目のＨＳ−ＳＣＣＨ内のＴＰＣビットをこのパイロット信号を用いて生成できる為、最初のＡＣＫ信号の送信の際に適正に送信電力制御を行うことができる。
【００５０】
又左から２番目と３番目のＨＳ−ＳＣＣＨの送信は間が離れているが、ＨＳ−ＳＣＣＨに連動したパイロット信号の送信を所定長、所定回行うようにしているので、第１の送信電力制御情報ＴＰＣＣ１の送信周期より密な周期で送信されたパイロット信号を待ってＴＰＣビット（左から６番目のパイロットを左から３番目のＨＳ−ＳＣＣＨのＴＰＣビット）に反映させることができる。尚、好ましくは、基地局は、各移動局あての第１送信電力制御情報ＴＰＣＣ１の送信タイミングを認識している為、送信周期より短い時間である時間Ｔを定義して記憶し、ある移動局についてＴＰＣＣ１の送信タイミングから時間Ｔ経過する前に、その移動局宛てにＨＳ−ＳＣＣＨやＨＳ−ＰＤＳＣＨの送信するようにすることが望ましい。
【００５１】
即ち、ＨＳ−ＰＤＳＣＨは共有チャネルであり、他の移動局宛てのデータも送信できるが、ＴＰＣＣ１からあまり時間のたっていない移動局に対するデータの送信を優先するのである。尚、この法則を適用すれば、ＨＳ−ＳＣＣＨに送信電力制御情報を含めなくとも送信電力制御が効果的に行われるが、最初のＨＳ−ＳＣＣＨ（前回のＨＳ−ＳＣＣＨの送信からＴＰＣＣ１の送信周期以上離れた最初のＨＳ−ＳＣＣＨ等）については、この法則を適用し、送信電力制御情報を省略し、ＴＰＣＣ１の送信周期以上離れていない次のＨＳ−ＳＣＣＨについては、送信電力制御情報を含めるといったこともできる。
【００５２】
即ち、最初のＨＳ−ＳＣＣＨの受信により、移動局のパイロット信号の送信が粗から密密となり、合わせて送信電力制御も密に行えることとなるからである。又図４では、上りパイロットの送信タイミングをＡＣＫ信号、ＮＡＣＫ信号の送信タイミングに合わせている部分があるが、これは、上り信号を送信するのであれば、ＡＣＫ信号、ＮＡＣＫ信号、パイロット信号を同時に送信してしまう方が効率がよいからである。従って、ＨＳ−ＳＣＣＨに連動して送信するパイロット信号の送信タイミングをＡＣＫ信号、ＮＡＣｋ信号の送信タイミングに合わせることも効率を良くする一つの案である。勿論、同期させなくともよい。
【００５３】
又本発明は、前述のＷ−ＣＤＭＡ方式やＯＦＤＭ方式の無線通信方式のみでなく、他の各種の無線通信方式を適用した場合の無線通信装置及び移動無線通信システムにも適用することができるものである。
【図面の簡単な説明】
【００５４】
【図１】本発明の実施例１の説明図である。
【図２】本発明の実施例１の説明図である。
【図３】本発明の実施例１の送信電力制御の説明図である。
【図４】本発明の実施例２の送信電力制御の説明図である。
【図５】移動無線通信システムの説明図である。
【図６】ＨＳＤＰＡに於けるチャネル構成説明図である。
【符号の説明】
【００５５】
１，２１  アンテナ
２，２２  高周波処理部（ＲＦＩＦ）
３  多重化部
４，５，６  乗算部
７，８，９  拡散部
１０  シンボルマッピング部
１１，１２  フレーム生成部
２３  逆拡散部
２４  パイロットシンボル抽出部
２５  ＳＩＲ推定部
２６  ＴＰＣＣ生成部
３１，４１  アンテナ
３２，４２  高周波処理部（ＲＦＩＦ）
３３  ＣＣＨ逆拡散部
３４  ＴＣＨ逆拡散部
３５  ＤＣＨ逆拡散部
３６  ビット判定部
３７  ＴＰＣＣ抽出部
３８  送信電力制御部
４３  乗算部
４４  多重化部
４５，４６，４７  拡散部
【図１】
2006197318.tif 000003
【図２】
2006197318.tif 000004
【図３】
2006197318.tif 000005
【図４】
2006197318.tif 000006
【図５】
2006197318.tif 000007
【図６】
2006197318.tif 000008